(57)【要約】【課題】サブフィールドデータ変換用のルックアップテーブルを格納するための記憶容量を削減する。【解決手段】ＬＵＴコードメモリ１３１に格納された圧縮ＬＵＴ１３７は、画像信号が、すべてオンの可変長部分と、オンとオフとが混在した固定長部分と、すべてオフの可変長部分とで構成されるサブフィールドパターンに変換されるルックアップテーブルを圧縮したものである。このようなフォーマットのサブフィールドパターンは高い圧縮率で圧縮することが可能であるため、ルックアップテーブルの圧縮率も高くなり、ルックアップテーブルを格納するための記憶容量を削減することができる。【選択図】図１
2008241975.tif 000002
【特許請求の範囲】
【請求項１】
複数の画素が配置された表示領域を備え、前記複数の画素の各々について、１フィールドを分割した複数のサブフィールドごとに点灯または消灯を制御する表示装置であって、
複数の圧縮テーブルを格納し、前記複数の圧縮テーブルの各々は、表示すべき階調と前記複数のサブフィールドごとに点灯または消灯を指示するコードパターンを圧縮した圧縮コードパターンとを対応付けて記憶するテーブル格納手段と、
前記テーブル格納手段に格納している圧縮テーブルを選択する圧縮テーブル選択手段と、
前記テーブル選択手段によって選択されたテーブルの前記圧縮コードパターンを伸張して前記コードパターンと表示すべき階調とを対応付ける復元テーブルを生成する伸張手段と、
表示すべき階調を示す画像信号に基づいて、前記復元デーブルを参照して、表示すべき階調に応じたコードパターンを生成するデータ変換手段と、
前記データ変換手段によって生成されたコードパターンに基づいて、前記表示領域に画像を表示させる表示制御手段とを、
備えた表示装置。
【請求項２】
前記コードパターンは、対応するサブフィールドの全てについて点灯を指定し、対応するサブフィールドの数が可変となる第１コード部と、対応するサブフィールドについて点灯または消灯を混在して指定し、対応するサブフィールドの数が固定となる第２コード部と、対応するサブフィールドの全てについて消灯を指定し、対応するサブフィールドの数が可変となる第３コード部とから構成されることを特徴とする請求項１に記載の表示装置。
【請求項３】
前記圧縮コードパターンは、前記第１コード部または前記第３コード部に対応するサブフィールドの数を２進数で表した部分と、前記第２コード部に対応するサブフィールドについて点灯または消灯を２進数で表した部分とで構成されることを特徴とする請求項２に記載の表示装置。
【請求項４】
前記表示領域の温度を取得する温度取得手段を備え、
前記複数の圧縮テーブルの各々は温度と対応付けられており、
前記選択手段は、前記温度取得手段によって取得された温度に応じた圧縮テーブルを選択する、
ことを特徴とする請求項１乃至３のうちいずれか１項に記載の表示装置。
【請求項５】
前記選択手段は、少なくとも２つの前記圧縮テーブルを選択し、
前記伸張手段は、選択された少なくとも２つの前記圧縮テーブルを伸張して少なくとも２つの前記復元テーブルを生成し、
前記データ変換手段は、所定の規則に従って前記少なくとも２つの前記復元テーブルのうち１つを選択し、表示すべき階調を示す画像信号に基づいて、選択した前記復元デーブルを参照して、表示すべき階調に応じたコードパターンを生成する、
ことを特徴とする請求項１乃至３のうちいずれか１項に記載の表示装置。
【請求項６】
前記複数のサブフィールドは前記１フィールドを時間的に等分割したものであることを特徴とする請求項１乃至５のうちいずれか１項に記載の表示装置。
【請求項７】
請求項１乃至６のうちいずれか１項に記載の表示装置を備えたことを特徴とする電子機器。
【発明の詳細な説明】
【技術分野】
【０００１】
本発明は、サブフィールド駆動方式により階調を表示する表示装置および電子機器に関する。
【背景技術】
【０００２】
液晶の透過率の変化により表示を行う液晶装置は、情報処理装置やテレビジョン、携帯電話などの電子機器の表示装置として広く用いられている。液晶装置では、行方向に延在する走査線と、列方向に延在するデータ線との交差に対応して画素電極が形成される。また、当該交差部分にあって画素電極とデータ線との間に、走査線に供給される走査信号にしたがってオンオフする薄膜トランジスタ（以下、ＴＦＴ：Thin Film Transistorと称する。）などの画素スイッチが介挿される。さらに、液晶を介して画素電極と対向するように対向電極が設けられる。画素電極と対向電極との間に画像信号の階調に応じた電圧が印加されると、印加電圧に応じて液晶の配向状態が変化する。これによって、画素における透過光量が変化し、所定の階調表示が可能になる。
【０００３】
従来、データ線に印加される画像信号は、階調に対応する電圧、すなわちアナログ信号であった。このため、液晶装置の周辺回路には、Ｄ／Ａ変換回路やオペアンプなどが必要となり、コスト高を招来するのに加え、均一な表示が困難であるという問題があった。そこで、近年では、液晶の駆動にディジタル的な駆動方式として、１フィールドを時間軸上で複数のサブフィールドに分割し、各サブフィールドにおいて各画素の階調に応じてオン電圧またはオフ電圧を印加するサブフィールド駆動方式が提案されている。
【０００４】
特許文献１には、１サブフィールドにおける透過率の変化を細かく制御することで、１フィールド内のサブフィールド数よりも細かい階調で表示する技術も開示されている。この技術によれば、サブフィールド数をｎとした場合に、単純なパルス幅制御（オンのサブフィールドが連続するパターン）を行なった場合には（ｎ＋１）階調しか得られないのに対し、オフのサブフィールドを混在させることで（ｎ＋１）階調より著しく多くの階調を表現することができるようになる。
【０００５】
また、特許文献２には、サブフィールド駆動方式により階調表示を行なう表示装置において、動画再生時に擬似輪郭が発生するのを防ぐために、表示する階調レベルに応じて点灯サブフィールドの異なる第１のモードのサブフィールドと、第２のモードのサブフィールドとを適宜設定することが記載されている。
【特許文献１】特開２００３−１１４６６１号公報
【特許文献２】特開平０７−２７１３２５号公報（図１６、図１７）
【発明の開示】
【発明が解決しようとする課題】
【０００６】
表示すべき画像データの階調を、サブフィールドデータに変換するための一手法として、ルックアップテーブルが用いられる。ルックアップテーブルは、表示すべき画像の階調（例えば、８ビットで表された階調）を、サブフィールド（例えば、１フィールドを３２分割したサブフィールド）のオンオフパターンに対応させて作成されたテーブルである。このため、ルックアップテーブルは、階調数分の対応パターンを記憶しておく必要がある。なお、サブフィールドのオンオフパターンは液晶の特性等に応じて、階調を表現するのに適したパターンをあらかじめ理論的、実験的に得ておくようにする。
【０００７】
ところで、一般に液晶の特性は温度によって変化する。したがって、均一低な輝度特性を得るためにはルックアップテーブルは温度毎に用意する必要がある。また、特許文献２に記載されているように動画表示の際の擬似輪郭を防ぐためには、同じ温度であっても異なるサブフィールドパターンをさらに用意する必要がある。
一般に、ルックアップテーブルはあらかじめＲＯＭ等に不揮発的に格納されているが、ルックアップテーブルの種類が多いとルックアップテーブルを格納するために多量の記憶容量が必要になる。
【０００８】
本発明は、このような事情に鑑みてなされたものであり、サブフィールドデータ変換用のルックアップテーブルを格納するための記憶容量を削減することを目的とする。
【課題を解決するための手段】
【０００９】
上述した課題を解決するため、本発明に係る表示装置は、複数の画素が配置された表示領域を備え、前記複数の画素の各々について、１フィールドを分割した複数のサブフィールドごとに点灯または消灯を制御するものであって、複数の圧縮テーブルを格納し、前記複数の圧縮テーブルの各々は、表示すべき階調と前記複数のサブフィールドごとに点灯または消灯を指示するコードパターンを圧縮した圧縮コードパターンとを対応付けて記憶するテーブル格納手段と、前記テーブル格納手段に格納している圧縮テーブルを選択する圧縮テーブル選択手段と、前記テーブル選択手段によって選択されたテーブルの前記圧縮コードパターンを伸張して前記コードパターンと表示すべき階調とを対応付ける復元テーブルを生成する伸張手段と、表示すべき階調を示す画像信号に基づいて、前記復元デーブルを参照して、表示すべき階調に応じたコードパターンを生成するデータ変換手段と、前記データ変換手段によって生成されたコードパターンに基づいて、前記表示領域に画像を表示させる表示制御手段とを備える。
この発明によれば、テーブル格納手段は、複数の圧縮テーブルを格納し、これを適宜選択して伸張する。この結果、テーブル格納手段の記憶容量を大幅に削減することができ、構成を簡素化できる。このような表示装置の典型例は液晶装置であり、また、各サブフィールドの長さは等しいことが好ましい。
【００１０】
コードパターンに具体的な態様としては、対応するサブフィールドの全てについて点灯を指定し、対応するサブフィールドの数が可変となる第１コード部と、対応するサブフィールドについて点灯または消灯を混在して指定し、対応するサブフィールドの数が固定となる第２コード部と、対応するサブフィールドの全てについて消灯を指定し、対応するサブフィールドの数が可変となる第３コード部とから構成されることが好ましい。このコードパターンによれば、点灯を指定する第１コード部と消灯を指定する第３コード部は可変長であり、点灯または消灯を指定する第２コード部は固定である。このため、第１コード部と第３コード部の各々に含まれるサブフィールド数を決定することによって、おおよその階調を指定することができ、第２コード部の点灯または消灯のパターンを指定することによって、さらに詳細な階調を指定することができる。
【００１１】
ここで、前記圧縮コードパターンは、前記第１コード部または前記第３コード部に対応するサブフィールドの数を２進数で表した部分と、前記第２コード部に対応するサブフィールドについて点灯または消灯を２進数で表した部分とで構成されることが好ましい。この場合には、第１コード部または第３コード部に対応するサブフィールドの数を２進数で表した部分を有するので、データ量を圧縮することができる。
【００１２】
また、上述した表示装置において、前記表示領域の温度を取得する温度取得手段を備え、前記複数の圧縮テーブルの各々は温度と対応付けられており、前記選択手段は、前記温度取得手段によって取得された温度に応じた圧縮テーブルを選択することが好ましい。この発明によれば、温度に応じた圧縮テーブルを選択するので、温度特性を補正することができる。しかも、圧縮テーブルを格納していればよいので、記憶容量を削減することが可能となる。
【００１３】
また、上述した表示装置において、前記選択手段は、少なくとも２つの前記圧縮テーブルを選択し、前記伸張手段は、選択された少なくとも２つの前記圧縮テーブルを伸張して少なくとも２つの前記復元テーブルを生成し、前記データ変換手段は、所定の規則に従って前記少なくとも２つの前記復元テーブルのうち１つを選択し、表示すべき階調を示す画像信号に基づいて、選択した前記復元デーブルを参照して、表示すべき階調に応じたコードパターンを生成することが好ましい。この発明によれば複数の復元テーブルの一つを選択して、コードパターンを生成するので、ブロックノイズを低減することができる。
【００１４】
また、上述した表示装置において、前記複数のサブフィールドは前記１フィールドを時間的に等分割したものであることが好ましい。
次に、本発明に係る電子機器は、上述した表示装置を備えたことを特徴とする。このような電子機器としては、例えば、パーソナルコンピュータ、携帯電話機、携帯情報端末などが該当する。
【発明を実施するための最良の形態】
【００１５】
＜１．実施形態＞
図１に実施形態に係る液晶装置のブロック図を示す。この液晶装置１００は電気光学材料として液晶を用いる。液晶装置１００は、主要部として液晶パネル１１０を備える。液晶パネル１１０は、スイッチング素子としてＴＦＴを形成した素子基板と対向基板とを互いに電極形成面を対向させて、かつ、一定の間隙を保って貼付し、この間隙に液晶が挟持されている。本実施形態において、液晶装置１００は、サブフィールド駆動方式を採用している。
【００１６】
液晶装置１００は、画像処理回路１２０、ディジタル信号サブフィールド変換回路１３０、温度補正回路１４０、温度センサ１５０、Ａ／Ｄ変換回路１６０を備える。液晶パネル１１０の素子基板上には、画像表示領域１１１、走査ドライバ１１２およびデータドライバ１１３が形成されている。
【００１７】
画像処理回路１２０には、外部装置からアナログ形式の画像信号と制御信号とが供給される。画像処理回路１２０は、アナログ形式の画像信号をディジタル信号に変換し、ガンマ補正、液晶パネルのムラ・バラツキ補正等の画像処理を行なって、補正画像信号としてディジタル信号サブフィールド変換回路１３０に供給する。また、画像処理回路１２０は、走査ドライバ１１２およびデータドライバ１１３を制御するための制御信号を出力する。制御信号は、例えば、水平走査信号や垂直走査信号等である。
【００１８】
温度センサ１５０は、液晶パネル１１０の近傍に配置され、液晶パネル１１０の画像表示領域１１１の温度を間接的あるいは直接的に取得する。温度センサ１５０が取得したアナログの温度データは、Ａ／Ｄ変換回路１６０によりディジタル変換され、ディジタル信号サブフィールド変換回路１３０に送られる。なお、温度センサ１５０を液晶パネル１１０に組み込んでもよい。
【００１９】
ディジタル信号サブフィールド変換回路１３０は、ルックアップテーブル（ＬＵＴ）コードメモリ１３１、伸長回路１３２、変換回路１３３、温度特性ＬＵＴ選択回路１３４、擬似輪郭ＬＵＴ選択回路１３５を備える。ルックアップコードメモリ１３１は、例えば、ＲＯＭで構成され、圧縮されたルックアップテーブル１３７が不揮発的に格納されている。ルックアップコードメモリ１３１が格納する圧縮されたルックアップテーブル１３７は、温度毎に用意されており、また、擬似輪郭補正用にコードパターンの異なる複数個（本実施形態では２個）を一組として格納されている。温度毎に用意された圧縮ルックアップテーブル１３７は、取得された温度データにしたがって温度特性ＬＵＴ選択回路１３４により選択され、伸長回路１３２に送られる。
【００２０】
伸長回路１３２は、あらかじめ定められたアルゴリズムにしたがって圧縮ルックアップテーブル１３７を伸長して復元テーブルを生成し、ＲＡＭ等の作業用メモリに格納する。本実施形態では、擬似輪郭補正用にコードパターンの異なる２個のルックアップテーブルが用意されているため、作業用メモリには復元テーブルとして第１ＬＵＴ１３８ａと第２ＬＵＴ１３８ｂとが格納される。
変換回路１３３は、作業用メモリに格納されたルックアップテーブル１３８を参照して、画像処理回路１２０から供給された補正画像信号をサブフィールドデータに変換し、データドライバ１１３に供給する。
【００２１】
第１ＬＵＴ１３８ａおよび第２ＬＵＴ１３８ｂのいずれのルックアップテーブルを変換に用いるかは、あらかじめ定められたアルゴリズムにしたがって擬似輪郭ＬＵＴ選択回路１３５が決定する。このアルゴリズムは、例えば、ランダム、交互等とすることができる。また、静止画の場合は単一のルックアップテーブルを用い、動画表示の場合だけ複数のルックアップテーブルを使い分けるようにしてもよい。
【００２２】
図２は、画像表示領域１１１の構成を示す図である。画像表示領域１１１には、ｍ（ｍは２以上の自然数）本の走査線２０が、Ｘ方向に沿って平行に配列して形成される一方、ｎ（ｎは２以上の自然数）本のデータ線１０が、Ｙ方向に沿って平行に配列して形成されている。そして、データ線１０と走査線２０との交差に対応してｍ×ｎ個の画素回路Ｐが配列される。
【００２３】
同図に示すように画素回路Ｐは、液晶素子６０およびＴＦＴ５０を備える。液晶素子６０は画素電極６１と対向電極６２との間に液晶を挟持して構成される。対向電極６２には共通電位Ｖcomが供給される。ＴＦＴ５０のゲート電極は走査線２０に電気的に接続され、そのドレイン電極またはソース電極の一方がデータ線１０に電気的に接続され、他方が画素電極６１に電気的に接続される。
【００２４】
図１に示すデータドライバ１１３は、データ信号Ｘ１〜Ｘｎをｎ本のデータ線１０に出力する。液晶装置では、一般に交流駆動が行なわれており、本実施形態では、ライン単位で液晶に印加する電圧を反転するライン毎反転と、フレーム単位で反転するフレーム毎反転とを組み合わせて駆動しているものとする。なお、ライン毎反転およびフレーム毎反転のいずれか、あるいは、他の駆動方法を用いるようにしてもよい。
各走査線２０には、走査ドライバ１１２から、走査信号Ｙ１、Ｙ２、…、Ｙｍが、パルス的に線順次で印加されるようになっている。このため、ある走査線２０に走査信号が供給されると、当該行の画素回路ＰにおいてＴＦＴ５０がオン状態となり、データ線１０を介して供給されるデータ信号が液晶素子６０に書き込まれる。各画素に印加される電圧に応じて液晶分子の配向や秩序が変化するので、光変調による階調表示が可能となる。
【００２５】
例えば、液晶を通過する光量は、ノーマリーホワイトモードであれば、印加電圧の積分量が大きくなるにつれて制限される一方、ノーマリーブラックモードであれば、印加電圧の積分量が大きくなるにつれて緩和されるので、液晶装置１００全体では、画像信号に応じたコントラストを持つ光が画素毎に出射される。
この例の液晶装置１００はノーマリホワイトである。このため、電圧をかけない状態で透過率が高くなり白が表示され、印加電圧の積分量が大きい状態で透過率が低くなり黒が表示されることになる。なお、保持された画像信号がリークするのを防ぐために、保持容量を画素電極６１と対向電極６２との間に形成される液晶容量と並列に付加してもよい。
【００２６】
次に、本実施形態におけるサブフィールドコードパターンについて説明する。一般に、サブフィールドのコードパターンの総数は、サブフィールドの数に応じて決定される。例えば、１フィールドが４０サブフィールドで構成されるとすると、２の４０乗通りのコードパターンが存在することになる。実際は、２の４０乗通りのパターンをすべて使用するのではなく、表現すべき階調に対応するコードパターンを抽出して用いることになる。
【００２７】
例えば、画像信号が８ビット（２５６階調）で表現されているとすると、２の４０乗通りのパターンの中から理想的な階調−輝度（透過率）特性に合致するコードパターンが１つのルックアップテーブルにつき、２５６個抽出される。
ここで、階調−輝度（透過率）特性に合致するコードパターンを抽出する際に、２の４０通りのコードパターンそれぞれについて理論的、あるいは実験的に透過率を求めるとすると、膨大な手間と時間を要することになる。また、ルックアップテーブルは、画像信号とサブフィールドコードパターンとを対応付けたものであるから、サブフィールドコードパターンが圧縮に適したフォーマットであるほど、ルックアップテーブルの圧縮率を高めることが期待できる。
【００２８】
そこで、本実施形態では、サブフィールドを以下のように取り扱うものとする。図３は、本実施形態におけるフィールド構成の一例を説明するための図である。本図に示すように、１フィールドは複数のサブフィールドから構成され、第１コード部、第２コード部、第３コード部の３つの部分に区分けされる。
ここで、第１コード部は、可変のサブフィールド数から成り、すべてオン（点灯）の値である。第２コード部は、固定のサブフィールド数から成り、オンのサブフィールドとオフのサブフィールドとが混在している。第３コード部は可変のサブフィールド数から成り、すべてオフ（消灯）の値である。
【００２９】
本実施形態では、このようなフォーマットに適合したコードパターンをサブフィールドパターンとして抽出する。このフォーマットに適合したコードパターンは高い圧縮率で圧縮することができる。圧縮アルゴリズムは任意の手法を用いることができるが、例えば、全体のサブフィールド数を４０として、第２コード部のサブフィールド数を８とすると、以下のような圧縮アルゴリズムが考えられる。
【００３０】
すなわち、第１コード部は、すべてオンであるから可変のサブフィールド数を示せればよい。全体のサブフィールド数は４０であり、第２コード部の８サブフィールド数を引いた３２が最大長となるため、５ビットで足りる。第２コード部はそれぞれのサブフィールドの値をそのまま示すとすれば８ビットで表現できる。第３コード部は残りの部分ですべてオフであるから表現する必要はない。したがって４０サブフィールドが５プラス８の１３ビットで表現できることになる。
【００３１】
例えば、図４（ａ）に示すようなサブフィールドコードパターンは、第１コード部の長さが８であるから５ビットで「００１００」と表せ、第２コード部は「０１０１０１０１」となる。このため、全体として圧縮されたコードパターンは「００１０００１０１０１０１」と表すことができる。同様に図４（ｂ）に示すサブフィールドコードパターンは、圧縮されたコードパターンとして「０１０１００１０１０１０１」と表すことができ、図４（ｃ）に示すサブフィールドコードパターンは、圧縮されたコードパターンとして「０１０１０００１１００１１」と表すことができる。
【００３２】
図４（ｄ）は、擬似輪郭を防ぐために図４（ｂ）と組になるサブフィールドコードパターンの一例を示しており、本図の例では図４（ｂ）のコードを反対にしたパターンを用いている。このように、第１のコード部をすべてオフにして、第３のコード部をすべてオフとしてもよいし、第１コード部と第２コード部の位置を入れ替えたりしてもよい。要は、各サブフィールドパターンが、すべてオンの可変長部分と、オンとオフとが混在した固定長部分と、すべてオフの可変長部分とに区分けられていれば足りる。
【００３３】
このように１フィールドを３つの部分に区分したフォーマットに合致するサブフィールドコードパターンを抽出することで以下のような効果を得ることができる。
第１に、ルックアップコードメモリの容量を削減することができる。すなわち、１フィールドを３つの部分に区分したフォーマットは高い圧縮率を実現することができる。このため、ルックアップテーブルの圧縮率も高くすることができる。一般に、ルックアップテーブルは圧縮された状態で不揮発的にメモリに格納されているが、温度特性対応、擬似輪郭防止等のため、複数種類用意しなければならない。したがって、ルックアップテーブルの圧縮率が高ければ、全体としてルックアップコードメモリの容量を大幅に削減することができる。
【００３４】
第２に、階調−輝度（透過率）特性に合致するサブフィールドコードパターンを抽出する際の効率が向上することになる。すなわち、透過率を理論的あるいは実験的に求めるコードパターンをあらかじめ絞り込むことができるため、網羅的に調べるよりも手間と時間とを大幅に節約することができる。
【００３５】
次に、上記のフォーマットにしたがったサブフィールドコードパターンを用いた液晶装置１００のサブフィールド変換処理の流れについて再度図１を参照して説明する。ここで、ＬＵＴコードメモリ１３１に格納されているそれぞれの圧縮ＬＵＴ１３７から伸長された各ルックアップテーブルは、画像信号を、各サブフィールドパターンが、すべてオンの可変長部分と、オンとオフとが混在した固定長部分と、すべてオフの可変長部分とに区分けられたサブフィールドコードパターンに対応付たものである。ただし、液晶の特性上、一部のサブフィールドコードパターンにこのフォーマットにしたがわないパターンが含まれていてもよいものとする。
【００３６】
まず、温度特性ＬＵＴ選択回路１３４は、温度センサ１５０が取得した液晶パネル１１０周辺の温度に対応する圧縮ＬＵＴ１３７を選択する。選択された圧縮ＬＵＴ１３７は伸長回路１３２に送られる。なお圧縮ＬＵＴ１３７は、液晶パネル１１０の温度が変化しない限り同じデータを用いることができる。すなわち、液晶パネル１１０の温度が変化しない限り伸長回路１３２に再供給する必要はない。
【００３７】
伸長回路１３２は、第１コード部、第２コード部の圧縮アルゴリズムにしたがって圧縮ＬＵＴ１３７を伸長して、第１ＬＵＴ１３８ａと第２ＬＵＴ１３８ｂとを得る。上記の例だと、ルックアップテーブルのサブフィールドコード部分は、１３ビットの圧縮データから、４０サブフィールドのサブフィールドコードパターンに展開される。
【００３８】
変換回路１３３は、画像処理回路１２０から８ビットの補正画像信号を受信すると、擬似輪郭ＬＵＴ選択回路１３５が選択した第１ＬＵＴ１３８ａあるいは第２ＬＵＴ１３８ｂを参照してサブフィールドデータに変換する。そして得られたサブフィールドデータをデータドライバ１１３に供給する。このサブフィールドデータに基づいて液晶パネル１１０が表示を行なうことで、入力された画像信号に基づいた表示結果を得ることができる。
【００３９】
なお、ルックアップテーブルの段階では、サブフィールドコード部分はなお圧縮された１３ビットのままで、出力するサブフィールドデータに変換する際に４０サブフィールドのサブフィールドコードパターンに展開するようにしてもよい。このようにすれば、ルックアップテーブルを格納する作業メモリの容量も節約することができる。
【００４０】
＜２．電子機器＞
次に、本発明に係る液晶装置１００を利用した電子機器について説明する。図５は、以上に説明した液晶装置１００を表示装置として採用したモバイル型のパーソナルコンピュータの構成を示す斜視図である。パーソナルコンピュータ２０００は、表示装置としての液晶装置１００と本体部２０１０とを備える。本体部２０１０には、電源スイッチ２００１およびキーボード２００２が設けられている。
【００４１】
図６に、実施形態に係る液晶装置１００を適用した携帯電話機の構成を示す。携帯電話機３０００は、複数の操作ボタン３００１およびスクロールボタン３００２、ならびに表示装置としての液晶装置１００を備える。スクロールボタン３００２を操作することによって、液晶装置１００に表示される画面がスクロールされる。
【００４２】
図７に、実施形態に係る液晶装置１００を適用した携帯情報端末（ＰＤＡ：Personal Digital Assistants）の構成を示す。情報携帯端末４０００は、複数の操作ボタン４００１および電源スイッチ４００２、ならびに表示装置としての液晶装置１００を備える。電源スイッチ４００２を操作すると、住所録やスケジュール帳といった各種の情報が液晶装置１００に表示される。
【００４３】
なお、本発明に係る液晶装置が適用される電子機器としては、図５から図７に示したもののほか、プロジェクタ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００４４】
【図１】本発明の実施形態に係る液晶装置のブロック図である。
【図２】同装置の画像表示領域の構成を示すブロック図である。
【図３】フィールド構成の一例を説明するための図である。
【図４】サブフィールドコードパターンの例を示す図である。
【図５】電子機器の１例たるパーソナルコンピュータの斜視図である。
【図６】電子機器の１例たる携帯電話機の斜視図である。
【図７】電子機器の１例たる携帯情報端末の斜視図である。
【符号の説明】
【００４５】
１０…データ線、２０…走査線、６０…液晶素子、６１…画素電極、６２…対向電極、１００…液晶装置、１１０…液晶パネル、１１１…画像表示領域、１１２…走査ドライバ、１１３…データドライバ、１２０…画像処理回路、１３０…ディジタル信号サブフィールド変換回路、１３１…ＬＵＴコードメモリ、１３２…伸長回路、１３３…変換回路、１３４…温度特性ＬＵＴ選択回路、１３５…擬似輪郭ＬＵＴ選択回路、１３７…圧縮ＬＵＴ、１５０…温度センサ、１６０…Ａ／Ｄ変換回路、２０００…パーソナルコンピュータ、３０００…携帯電話機、４０００…情報携帯端末
【図１】
2008241975.tif 000003
【図２】
2008241975.tif 000004
【図３】
2008241975.tif 000005
【図４】
2008241975.tif 000006
【図５】
2008241975.tif 000007
【図６】
2008241975.tif 000008
【図７】
2008241975.tif 000009